(57)【要約】【課題】入力された電力を蓄積エネルギーとして蓄積すると共に、蓄積した蓄積エネルギーを放出可能な複数のエネルギー蓄積装置において、利用者による蓄積エネルギーの可用性と入力される電力のピークカットとを両立する。【解決手段】所定の時間帯において削減すべき電力量に関する所定の目標値を含むピークカットが要求された際に、過去の依頼に対して各エネルギー蓄積装置の利用者が協力した割合を算出可能な協力履歴データと、所定の時間帯において各エネルギー蓄積装置へ入力される電力を表す計画データとに基づいて、エネルギー蓄積装置のあるグループへの入力が停止される電力の合計の期待値が所定の目標値以上になるように、あるグループを決定し、所定の時間帯において電力の入力の停止を依頼するメッセージを、あるグループへ送信する。エネルギー蓄積装置は、受信したメッセージを表示し、依頼に対する利用者による協力の可否を受け付ける。【選択図】      図１
2019126186.tif 000002
【特許請求の範囲】
【請求項１】
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する表示部と、
前記表示部により表示された前記メッセージに含まれる依頼に対する協力の可否に関する利用者による指示を受け付ける指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部と、
を含む複数台のエネルギー蓄積装置、及び
各前記エネルギー蓄積装置が過去に受信した前記メッセージに含まれる依頼に対して各前記エネルギー蓄積装置の前記利用者が協力した割合を算出可能な協力履歴データを記憶する協力記憶部と、
前記未来の所定の時間帯における各前記エネルギー蓄積装置へ入力される前記電力の全ての前記エネルギー蓄積装置に関する合計を所定の目標値だけ削減するピークカットが要求された際に、前記エネルギー蓄積装置へ前記メッセージを送信する依頼部と
を含むエネルギー蓄積制御装置
を備えたエネルギー蓄積システムであって、
前記依頼部は、前記ピークカットが要求された際に、
前記計画データを各前記エネルギー蓄積装置から取得し、
前記協力記憶部により記憶された前記協力履歴データと、各前記エネルギー蓄積装置から取得した前記計画データとに基づいて、前記未来の所定の時間帯において前記エネルギー蓄積装置への入力が計画されていた前記電力のうち、ある一群の前記エネルギー蓄積装置への入力が停止される前記電力の合計の期待値が前記所定の目標値以上になるように前記ある一群の前記エネルギー蓄積装置を決定し、
前記メッセージを、決定した前記ある一群の前記エネルギー蓄積装置へ送信する
エネルギー蓄積システム。
【請求項２】
前記依頼部は、前記エネルギー蓄積装置へ前記メッセージを送信する際に、前記ある一群の前記エネルギー蓄積装置のみへ前記メッセージを送信する
請求項１に記載のエネルギー蓄積システム。
【請求項３】
前記依頼部は、
前記計画データを各前記エネルギー蓄積装置から取得する際に、前記未来の所定の時間帯の開始時刻において各前記蓄積部に蓄積されている前記蓄積エネルギーの、該蓄積部に蓄積可能な最大の前記蓄積エネルギーに対する割合である蓄積率を算出可能な前記計画データを各前記エネルギー蓄積装置から取得し、各前記エネルギー蓄積装置から取得した前記計画データに基づいて前記蓄積率を算出し、
前記ある一群の前記エネルギー蓄積装置を決定する際に、算出した前記蓄積率がより大きい前記エネルギー蓄積装置を前記ある一群の前記エネルギー蓄積装置に優先的に含めるように前記ある一群の前記エネルギー蓄積装置を決定し、
前記メッセージを送信する際に、決定した前記ある一群の前記エネルギー蓄積装置において最小な前記蓄積率である最小蓄積率を指定して、前記蓄積率が前記最小蓄積率以上である前記蓄積部への前記電力の入力を停止することを依頼することを表す前記メッセージを、決定した前記ある一群の前記エネルギー蓄積装置へ送信する
請求項１に記載のエネルギー蓄積システム。
【請求項４】
前記依頼部は、前記エネルギー蓄積装置へ前記メッセージを送信する際に、全ての前記エネルギー蓄積装置へ前記メッセージを送信する
請求項３に記載のエネルギー蓄積システム。
【請求項５】
前記メッセージは、前記メッセージに含まれる依頼に協力した場合に前記利用者に付与されるインセンティブに関する情報を含むか、又は前記未来の所定の時間帯において前記利用者に賦課される電力料金に関する情報を含む
請求項１乃至４の何れか１項に記載のエネルギー蓄積システム。
【請求項６】
前記電力制御部は、過去の各時間帯において前記蓄積部から放出された前記蓄積エネルギーの放出量を表す放出履歴データを記憶し、前記計画データを生成する際に、記憶した前記放出履歴データと、前記指示部により受け付けられた前記指示とに基づいて、各前記未来の所定の時間帯において前記蓄積部から放出されることが予想される前記蓄積エネルギーの放出量に応じた前記蓄積エネルギーを蓄積するための前記計画データを生成する
請求項１乃至５の何れか１項に記載のエネルギー蓄積システム。
【請求項７】
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する専用の表示部と、
前記表示部により表示された前記メッセージに含まれる依頼に対する協力の可否に関する利用者による指示を受け付ける専用の指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部とを備えたエネルギー蓄積装置であって、
前記メッセージは、前記未来の所定の時間帯の開始時刻において各前記蓄積部に蓄積されている前記蓄積エネルギーの、該蓄積部に蓄積可能な最大の前記蓄積エネルギーに対する割合である蓄積率が、ある前記蓄積率以上である前記蓄積部への前記電力の入力を停止することを依頼することを表す
エネルギー蓄積装置。
【請求項８】
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する表示部と、
前記表示部により表示された前記メッセージに含まれる依頼に対する協力の可否に関する利用者による指示を受け付ける指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部と
を含む複数台のエネルギー蓄積装置のうちの各前記エネルギー蓄積装置が過去に受信した前記メッセージに含まれる依頼に対して各前記エネルギー蓄積装置の前記利用者が協力した割合を算出可能な協力履歴データを記憶する協力記憶部と、
前記未来の所定の時間帯における各前記エネルギー蓄積装置へ入力される前記電力の全ての前記エネルギー蓄積装置に関する合計を所定の目標値だけ削減するピークカットが要求された際に、
前記計画データを各前記エネルギー蓄積装置から取得し、
前記協力記憶部により記憶された前記協力履歴データと、各前記エネルギー蓄積装置から取得した前記計画データとに基づいて、前記未来の所定の時間帯において前記エネルギー蓄積装置への入力が計画されていた前記電力のうち、ある一群の前記エネルギー蓄積装置への入力が停止される前記電力の合計の期待値が前記所定の目標値以上になるように前記ある一群の前記エネルギー蓄積装置を決定し、
前記メッセージを、決定した前記ある一群の前記エネルギー蓄積装置へ送信する依頼部とを備えた
エネルギー蓄積制御装置。
【請求項９】
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する表示部と、
前記表示部により表示された前記メッセージに含まれる依頼に対する協力の可否に関する利用者による指示を受け付ける指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部と、
を含む複数台のエネルギー蓄積装置、及び
各前記エネルギー蓄積装置が過去に受信した前記メッセージに含まれる依頼に対して各前記エネルギー蓄積装置の前記利用者が協力した割合を算出可能な協力履歴データを記憶する協力記憶部と、
前記未来の所定の時間帯における各前記エネルギー蓄積装置へ入力される前記電力の全ての前記エネルギー蓄積装置に関する合計を所定の目標値だけ削減するピークカットが要求された際に、前記エネルギー蓄積装置へ前記メッセージを送信する依頼部と
を含むエネルギー蓄積制御装置
を備えたエネルギー蓄積システムにおけるエネルギー蓄積方法であって、
前記依頼部により、前記ピークカットが要求された際に、
前記計画データを各前記エネルギー蓄積装置から取得し、
前記協力記憶部により記憶された前記協力履歴データと、各前記エネルギー蓄積装置から取得した前記計画データとに基づいて、前記未来の所定の時間帯において前記エネルギー蓄積装置への入力が計画されていた前記電力のうち、ある一群の前記エネルギー蓄積装置への入力が停止される前記電力の合計の期待値が前記所定の目標値以上になるように前記ある一群の前記エネルギー蓄積装置を決定し、
前記メッセージを、決定した前記ある一群の前記エネルギー蓄積装置へ送信する
エネルギー蓄積方法。
【請求項１０】
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する表示部と、
前記表示部により表示された前記メッセージに含まれる依頼に対する協力の可否に関する利用者による指示を受け付ける指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部と
を含む複数台のエネルギー蓄積装置のうちの各前記エネルギー蓄積装置が過去に受信した前記メッセージに含まれる依頼に対して各前記エネルギー蓄積装置の前記利用者が協力した割合を算出可能な協力履歴データを記憶する協力記憶部とを備えたエネルギー蓄積制御装置が備えるコンピュータに、
前記未来の所定の時間帯における各前記エネルギー蓄積装置へ入力される前記電力の全ての前記エネルギー蓄積装置に関する合計を所定の目標値だけ削減するピークカットが要求された際に、
前記計画データを各前記エネルギー蓄積装置から取得し、
前記協力記憶部により記憶された前記協力履歴データと、各前記エネルギー蓄積装置から取得した前記計画データとに基づいて、前記未来の所定の時間帯において前記エネルギー蓄積装置への入力が計画されていた前記電力のうち、ある一群の前記エネルギー蓄積装置への入力が停止される前記電力の合計の期待値が前記所定の目標値以上になるように前記ある一群の前記エネルギー蓄積装置を決定し、
前記メッセージを、決定した前記ある一群の前記エネルギー蓄積装置へ送信する依頼処理を実行させる、
エネルギー蓄積制御装置のエネルギー蓄積制御プログラム。
【発明の詳細な説明】
【技術分野】
【０００１】
本発明は、エネルギーを蓄積する技術に関する。
【背景技術】
【０００２】
電力需要のピークカットとは、電力需要のピーク時において、需要家による電力の消費を抑制することである。電力会社は電力需要のピークに応じた規模の発電設備を設置する必要があるので、電力需要のピークカットは重要である。電力会社にとっては計画通りのピークカットを実現することが重要であるが、需要家にとっては電力の可用性が低下しないことが重要である。
【０００３】
ピークカットにおいて消費電力量を供給電力量に対して均衡させる技術の一例が、特許文献１に開示されている。特許文献１の給湯制御システムは、電力を用いて貯湯可能な複数のヒートポンプ給湯器（以下、単に「ヒートポンプ給湯器」と称す）による湯の沸き上げを制御する。電力は、商用電源と太陽光発電等の再生可能エネルギーとによって供給される。電力はヒートポンプ給湯器以外の電気器具によっても消費される。再生可能エネルギーによる電力の供給、及び電気器具による電力の消費は、日時や環境等に応じて変動する。商用電源による電力の供給は、上限電力量Ｗｕ（実定数）以下に制限され、ピークカットにおいて削減される目標の電力量Ｄ（ｎ）（ｎは各時間帯に付与された連番（自然数））により更に制限される。給湯制御システムは、電気器具による消費電力量の予測値ｙ（ｎ）と、再生可能エネルギーによる供給電力量の予測値Ｚ（ｎ）とを算出する。そして、給湯制御システムは、消費可能な電力（Ｗｕ＋Ｚ（ｎ）−ｙ（ｎ）−Ｄ（ｎ））を用いて、ヒートポンプ給湯器による湯の沸き上げを行う。この際、給湯制御システムは、蓄熱量（貯湯量）がより少ないヒートポンプ給湯器を優先して、沸き上げを行う対象であるヒートポンプ給湯器を決定する。上記構成の結果、特許文献１の給湯制御システムは、ピークカット時にも消費電力量を供給電力量に対して均衡させる。
【０００４】
電力のデマンドレスポンスとは、電力需要のピーク時に、電力販売者が電力料金を非ピーク時に比べて高く設定するか、又は電力販売者が電力消費の削減に対して需要家へインセンティブ（報奨金等）を付与することにより、需要家による電力消費を抑制することである。
【０００５】
電力のデマンドレスポンスに際して、消費電力量を抑制する技術の一例が、特許文献２に開示されている。特許文献２の運転制御装置は、各空間（部屋）に設置された設備機器（空調機等）における電力の消費を制御する。各空間には、空間に人（利用者）が存在するか否かを検出する人検出器が設置されている。運転制御装置は、電力のデマンドレスポンスが行われた際に、人が存在しない空間に設置された設備機器における電力消費を、人が存在する空間に設置された設備機器における電力消費に比べて優先的に抑制する。上記構成の結果、特許文献２の運転制御装置は、設備機器の利用者に対する電力のデマンドレスポンスの影響を抑制する。
【先行技術文献】
【特許文献】
【０００６】
【特許文献１】特開２０１６−１２５７３３号公報
【特許文献２】特開２０１４−１７８０６６号公報
【発明の概要】
【発明が解決しようとする課題】
【０００７】
しかしながら、特許文献１の給湯制御システムは、電力を用いたヒートポンプ給湯器による湯の沸き上げを、利用者（需要家）に確認することなく強制的に制御する。つまり、ヒートポンプ給湯器における湯の沸き上げ（焚き上げ）に消費可能な電力が不足している場合には、一部のヒートポンプ給湯器において湯切れが発生する可能性がある。従って、特許文献１の給湯制御システムには、利用者による湯の可用性が不十分であるという問題がある。
【０００８】
又、特許文献２の運転制御装置は、設備機器による電力の消費を、利用者に確認することなく強制的に制御する。つまり、デマンドレスポンスにおいて削減すべき電力が大きい場合には、利用者が存在する空間に設置された一部の設備機器が停止する可能性がある。従って、特許文献２の運転制御装置には、利用者による設備機器の可用性が不十分であるという問題がある。
【０００９】
本発明は、上記の課題に鑑みてなされたもので、入力された電力を蓄積エネルギーとして蓄積すると共に、蓄積した蓄積エネルギーを放出可能な複数のエネルギー蓄積装置において、利用者による蓄積エネルギーの可用性と入力される電力のピークカットとを両立させることを主たる目的とする。ここで、蓄積エネルギーとは、エネルギー蓄積装置により蓄積され、エネルギー蓄積装置から放出可能なエネルギーであることとする。エネルギー蓄積装置は、例えば、貯湯槽を含むヒートポンプ給湯器、又は二次電池（蓄電池、充電池）を含む充電装置である。蓄積エネルギーは、例えば、ヒートポンプ給湯器により沸き上げられた湯が有する熱エネルギー、又は充電装置に充電された電気エネルギーである。
【課題を解決するための手段】
【００１０】
本発明の一態様において、エネルギー蓄積システムは、入力された電力を蓄積エネルギーとして蓄積すると共に、蓄積した蓄積エネルギーを放出可能な蓄積部と、未来の所定の時間帯における蓄積部への電力の入力を停止することを依頼するメッセージを受信し、受信したメッセージを表示する表示部と、表示部により表示されたメッセージに含まれる依頼に対する協力の可否に関する利用者による指示を受け付ける指示部と、指示部により受け付けられた指示に基づいて、蓄積部へ未来の各時間帯において入力される電力を表す計画データを生成し、生成した計画データに従って蓄積部へ入力される電力を制御する電力制御部と、を含む複数台のエネルギー蓄積装置、及び各エネルギー蓄積装置が過去に受信したメッセージに含まれる依頼に対して各エネルギー蓄積装置の利用者が協力した割合を算出可能な協力履歴データを記憶する協力記憶部と、未来の所定の時間帯における各エネルギー蓄積装置へ入力される電力の全てのエネルギー蓄積装置に関する合計を所定の目標値だけ削減するピークカットが要求された際に、エネルギー蓄積装置へメッセージを送信する依頼部とを含むエネルギー蓄積制御装置を備えたエネルギー蓄積システムであって、依頼部は、ピークカットが要求された際に、計画データを各エネルギー蓄積装置から取得し、協力記憶部により記憶された協力履歴データと、各エネルギー蓄積装置から取得した計画データとに基づいて、未来の所定の時間帯においてエネルギー蓄積装置への入力が計画されていた電力のうち、ある一群のエネルギー蓄積装置への入力が停止される電力の合計の期待値が所定の目標値以上になるようにある一群のエネルギー蓄積装置を決定し、メッセージを、決定したある一群のエネルギー蓄積装置へ送信する。
【００１１】
本発明の一態様において、エネルギー蓄積装置は、入力された電力を蓄積エネルギーとして蓄積すると共に、蓄積した蓄積エネルギーを放出可能な蓄積部と、未来の所定の時間帯における蓄積部への電力の入力を停止することを依頼するメッセージを受信し、受信したメッセージを表示する専用の表示部と、表示部により表示されたメッセージに含まれる依頼に対する協力の可否に関する利用者による指示を受け付ける専用の指示部と、指示部により受け付けられた指示に基づいて、蓄積部へ未来の各時間帯において入力される電力を表す計画データを生成し、生成した計画データに従って蓄積部へ入力される電力を制御する電力制御部とを備えたエネルギー蓄積装置であって、メッセージは、未来の所定の時間帯の開始時刻において各蓄積部に蓄積されている蓄積エネルギーの、該蓄積部に蓄積可能な最大の蓄積エネルギーに対する割合である蓄積率が、ある蓄積率以上である蓄積部への電力の入力を停止することを依頼することを表す。
【００１２】
本発明の一態様において、エネルギー蓄積制御装置は、入力された電力を蓄積エネルギーとして蓄積すると共に、蓄積した蓄積エネルギーを放出可能な蓄積部と、未来の所定の時間帯における蓄積部への電力の入力を停止することを依頼するメッセージを受信し、受信したメッセージを表示する表示部と、表示部により表示されたメッセージに含まれる依頼に対する協力の可否に関する利用者による指示を受け付ける指示部と、指示部により受け付けられた指示に基づいて、蓄積部へ未来の各時間帯において入力される電力を表す計画データを生成し、生成した計画データに従って蓄積部へ入力される電力を制御する電力制御部とを含む複数台のエネルギー蓄積装置のうちの各エネルギー蓄積装置が過去に受信したメッセージに含まれる依頼に対して各エネルギー蓄積装置の利用者が協力した割合を算出可能な協力履歴データを記憶する協力記憶部と、未来の所定の時間帯における各エネルギー蓄積装置へ入力される電力の全てのエネルギー蓄積装置に関する合計を所定の目標値だけ削減するピークカットが要求された際に、計画データを各エネルギー蓄積装置から取得し、協力記憶部により記憶された協力履歴データと、各エネルギー蓄積装置から取得した計画データとに基づいて、未来の所定の時間帯においてエネルギー蓄積装置への入力が計画されていた電力のうち、ある一群のエネルギー蓄積装置への入力が停止される電力の合計の期待値が所定の目標値以上になるようにある一群のエネルギー蓄積装置を決定し、メッセージを、決定したある一群のエネルギー蓄積装置へ送信する依頼部とを備える。
【００１３】
本発明の一態様において、エネルギー蓄積方法は、入力された電力を蓄積エネルギーとして蓄積すると共に、蓄積した蓄積エネルギーを放出可能な蓄積部と、未来の所定の時間帯における蓄積部への電力の入力を停止することを依頼するメッセージを受信し、受信したメッセージを表示する表示部と、表示部により表示されたメッセージに含まれる依頼に対する協力の可否に関する利用者による指示を受け付ける指示部と、指示部により受け付けられた指示に基づいて、蓄積部へ未来の各時間帯において入力される電力を表す計画データを生成し、生成した計画データに従って蓄積部へ入力される電力を制御する電力制御部と、を含む複数台のエネルギー蓄積装置、及び各エネルギー蓄積装置が過去に受信したメッセージに含まれる依頼に対して各エネルギー蓄積装置の利用者が協力した割合を算出可能な協力履歴データを記憶する協力記憶部と、未来の所定の時間帯における各エネルギー蓄積装置へ入力される電力の全てのエネルギー蓄積装置に関する合計を所定の目標値だけ削減するピークカットが要求された際に、エネルギー蓄積装置へメッセージを送信する依頼部とを含むエネルギー蓄積制御装置を備えたエネルギー蓄積システムにおけるエネルギー蓄積方法であって、依頼部により、ピークカットが要求された際に、計画データを各エネルギー蓄積装置から取得し、協力記憶部により記憶された協力履歴データと、各エネルギー蓄積装置から取得した計画データとに基づいて、未来の所定の時間帯においてエネルギー蓄積装置への入力が計画されていた電力のうち、ある一群のエネルギー蓄積装置への入力が停止される電力の合計の期待値が所定の目標値以上になるようにある一群のエネルギー蓄積装置を決定し、メッセージを、決定したある一群のエネルギー蓄積装置へ送信する。
【００１４】
本発明の一態様において、エネルギー蓄積制御プログラムは、入力された電力を蓄積エネルギーとして蓄積すると共に、蓄積した蓄積エネルギーを放出可能な蓄積部と、未来の所定の時間帯における蓄積部への電力の入力を停止することを依頼するメッセージを受信し、受信したメッセージを表示する表示部と、表示部により表示されたメッセージに含まれる依頼に対する協力の可否に関する利用者による指示を受け付ける指示部と、指示部により受け付けられた指示に基づいて、蓄積部へ未来の各時間帯において入力される電力を表す計画データを生成し、生成した計画データに従って蓄積部へ入力される電力を制御する電力制御部とを含む複数台のエネルギー蓄積装置のうちの各エネルギー蓄積装置が過去に受信したメッセージに含まれる依頼に対して各エネルギー蓄積装置の利用者が協力した割合を算出可能な協力履歴データを記憶する協力記憶部とを備えたエネルギー蓄積制御装置が備えるコンピュータに、未来の所定の時間帯における各エネルギー蓄積装置へ入力される電力の全てのエネルギー蓄積装置に関する合計を所定の目標値だけ削減するピークカットが要求された際に、計画データを各エネルギー蓄積装置から取得し、協力記憶部により記憶された協力履歴データと、各エネルギー蓄積装置から取得した計画データとに基づいて、未来の所定の時間帯においてエネルギー蓄積装置への入力が計画されていた電力のうち、ある一群のエネルギー蓄積装置への入力が停止される電力の合計の期待値が所定の目標値以上になるようにある一群のエネルギー蓄積装置を決定し、メッセージを、決定したある一群のエネルギー蓄積装置へ送信する依頼処理を実行させる。
【発明の効果】
【００１５】
本発明によれば、入力された電力を蓄積エネルギーとして蓄積すると共に、蓄積した蓄積エネルギーを放出可能な複数のエネルギー蓄積装置において、利用者による蓄積エネルギーの可用性と入力される電力のピークカットとを両立できるという効果がある。
【図面の簡単な説明】
【００１６】
【図１】本発明の第１の実施形態におけるエネルギー蓄積システムの構成の一例を示すブロック図である。
【図２】本発明の第１の実施形態におけるエネルギー蓄積装置の表示部及び指示部におけるユーザインタフェース例を説明する図である。
【図３】本発明の第１の実施形態におけるエネルギー蓄積制御装置の動作を示すフローチャートである。
【図４】本発明の第１の実施形態におけるエネルギー蓄積制御システムの動作の一例を示すシーケンス図である。
【図５】本発明の第２の実施形態におけるエネルギー蓄積制御装置の動作を示すフローチャートである。
【図６】本発明の第２の実施形態におけるエネルギー蓄積装置の表示部及び指示部におけるユーザインタフェース例を説明する図である。
【図７】本発明の第２の実施形態におけるエネルギー蓄積制御システムの動作の一例を示すシーケンス図である。
【図８】本発明の第３の実施形態におけるヒートポンプ制御システムの構成の一例を示すブロック図である。
【図９】本発明の第３の実施形態におけるヒートポンプ制御装置の動作を示すフローチャートである。
【図１０】本発明の第３の実施形態におけるヒートポンプ制御装置の動作例を説明する図である。
【図１１】本発明の各実施形態におけるエネルギー蓄積制御装置を実現可能なハードウェア構成の一例を示すブロック図である。
【発明を実施するための形態】
【００１７】
以下、本発明の実施形態について、図面を参照して詳細に説明する。なお、すべての図面において、同等の構成要素には同じ符号を付し、適宜説明を省略する。
（第１の実施形態）
本発明の各実施形態の基本である、本発明の第１の実施形態について説明する。
【００１８】
本実施形態における構成について説明する。
【００１９】
図１は、本発明の第１の実施形態におけるエネルギー蓄積システムの構成の一例を示すブロック図である。
【００２０】
本実施形態のエネルギー蓄積システム３００は、複数台のエネルギー蓄積装置１００と、エネルギー蓄積制御装置２００とを含む。
【００２１】
エネルギー蓄積装置１００は、入力された電力を蓄積エネルギーとして蓄積すると共に、蓄積した蓄積エネルギーを放出可能な装置である。エネルギー蓄積装置１００は、例えば、貯湯槽を含むヒートポンプ給湯器、又は二次電池（蓄電池、充電池）を含む充電装置である。蓄積エネルギーは、例えば、ヒートポンプ給湯器により沸き上げられた湯が有する熱エネルギー、又は充電装置に充電された電気エネルギーである。エネルギー蓄積装置１００は、蓄積部１１０と、表示部１２０と、指示部１３０と、電力制御部１４０とを含む。
【００２２】
蓄積部１１０は、入力された電力を蓄積エネルギーとして蓄積すると共に、蓄積した蓄積エネルギーを放出することが可能である。
【００２３】
表示部１２０は、メッセージを受信し、受信したメッセージを表示する。メッセージは、未来の所定の時間帯における蓄積部１１０への電力の入力を停止することを依頼することを表す。
【００２４】
指示部１３０は、表示部１２０により表示されたメッセージに含まれる依頼に対する協力の可否に関する利用者による指示を受け付ける。
【００２５】
電力制御部１４０は、指示部１３０により受け付けられた指示に基づいて、計画データを生成し、生成した計画データに従って蓄積部１１０へ入力される電力を制御する。計画データは、蓄積部１１０へ未来の各時間帯において入力される電力を表すデータである。
【００２６】
エネルギー蓄積制御装置２００は、ピークカットが要求された際に、エネルギー蓄積装置１００へメッセージを送信することにより、エネルギー蓄積装置１００へ入力される電力を制御する。エネルギー蓄積制御装置２００は、協力記憶部２１０と、依頼部２２０とを含む。
【００２７】
協力記憶部２１０は、協力履歴データを記憶する。協力履歴データは、各エネルギー蓄積装置１００が過去に受信したメッセージに含まれる依頼に対して各エネルギー蓄積装置１００の利用者が協力した割合を算出可能なデータである。協力履歴データは、例えば、過去のある期間において利用者が依頼に協力した割合ｒｉ（ｉは各エネルギー蓄積装置１００（又は、その利用者）を識別する連番）を含む。ここで、「利用者が依頼に協力した」とは、利用者が、ある依頼における要求を完全に満たしたことを意味する。しかしながら、ある依頼における要求は、例えば、エネルギー蓄積装置１００へ入力される電力を部分的（例えば、消費電力の５０％以下）に削減すること等を含んでもよい（後述）。
【００２８】
依頼部２２０は、ピークカットが要求された際に、エネルギー蓄積装置１００へメッセージを送信する。ピークカットの要求は、未来の所定の時間帯における各エネルギー蓄積装置１００へ入力される電力の全てのエネルギー蓄積装置１００に関する合計を所定の目標値だけ削減する要求である。より詳細には、依頼部２２０は、ピークカットが要求された際に、以下の処理を行う。
●依頼部２２０は、計画データを各エネルギー蓄積装置１００から取得する。計画データは、ピークカットが行われる未来の所定の時間帯において、各エネルギー蓄積装置１００への入力が計画されていた電力ｗｉ（ｉは各エネルギー蓄積装置１００を識別する連番）を含む。
●依頼部２２０は、協力記憶部２１０により記憶された協力履歴データと、計画データとに基づいて、ある一群のエネルギー蓄積装置１００を決定する。ここで、依頼部２２０は、協力記憶部２１０により記憶された協力履歴データに基づいて、割合ｒｉを算出する。そして、依頼部２２０は、算出した割合ｒｉに基づいて、未来の所定の時間帯において利用者が依頼に協力する確率ｐｉ（ｉは各エネルギー蓄積装置１００（又は、その利用者）を識別する連番）を算出する。例えば、依頼部２２０は、確率ｐｉが割合ｒｉに等しいと仮定して、確率ｐｉを算出する。あるいは、依頼部２２０は、より新しい依頼に対する協力の割合ｒｉに、より古い依頼に対する協力の割合ｒｉよりも大きな重みを付して、重み付き平均を計算することにより確率ｐｉを算出してもよい。そして、依頼部２２０は、電力ｗｉのうち、当該ある一群のエネルギー蓄積装置１００への入力が停止される電力の合計の期待値Ｅが、所定の目標値以上になるように、当該ある一群のエネルギー蓄積装置１００を決定する。依頼部２２０は、例えば、確率ｐｉと電力ｗｉとの積を、当該ある一群のエネルギー蓄積装置１００に含まれる全てのエネルギー蓄積装置１００について加算することにより、期待値Ｅを算出する。
●依頼部２２０は、メッセージを、決定したある一群のエネルギー蓄積装置１００へ送信する。
【００２９】
図２は、本発明の第１の実施形態におけるエネルギー蓄積装置の表示部及び指示部におけるユーザインタフェース例を説明する図である。但し、図２では、エネルギー蓄積装置１００が二次電池を含む充電装置である場合の例を示している。
【００３０】
図２では、表示部１２０は、「１９：００〜２０：００にピークカット運転をして（充電を控えて）ください。」との「ピークカット運転依頼メッセージ」（メッセージ）を表示している。
【００３１】
図２では、利用者が表示部１２０により表示されたメッセージに含まれる依頼に対して協力する場合には、「ピークカット運転をする」と表示されたボタン（指示部１３０）を押下することにより、依頼に対して協力する旨の利用者による指示を受け付ける。又、利用者が依頼に対して協力しない場合には、「ピークカット運転をしない」と表示されたボタン（指示部１３０）を押下することにより、依頼に対して協力しない旨の利用者による指示を受け付ける。利用者による指示は、指示部１３０により保持され、ボタン脇に設置されたランプの点灯状態により表示されている。図２では、指示部１３０は、指示を入力する専用のボタン（スイッチ）と、入力された指示を表示する専用のランプとを含んでいる。指示部１３０は、タッチパネルにおいて専用の定位置に表示されてもよい。
【００３２】
本実施形態における動作について説明する。
【００３３】
図３は、本発明の第１の実施形態におけるエネルギー蓄積制御装置の動作を示すフローチャートである。より具体的には、図３は、本実施形態におけるエネルギー蓄積制御装置２００に含まれる依頼部２２０の動作を示す。尚、図３に示すフローチャート及び以下の説明は一例であり、適宜求める処理に応じて、処理順等を入れ替えたり、処理を戻したり、又は処理を繰り返したりしてもよい。
【００３４】
まず、依頼部２２０は、ピークカットの要求を受信する（ステップＳ１１０）。ピークカットの要求は、ピークカットが行われる時間帯を表すデータ（以下、単に「時間帯」とも称す）Ｔと、ピークカットにおける電力削減の目標値を表すデータ（以下、単に「目標値とも称す）Ｒとを含む。
【００３５】
次に、依頼部２２０は、時間帯Ｔにおける計画データを各エネルギー蓄積装置１００から取得する（ステップＳ１２０）。
【００３６】
続いて、依頼部２２０は、電力の入力の停止を依頼する対象であるエネルギー蓄積装置１００のグループを表すデータ（以下、単に「グループ」とも称す）Ｇを空集合に設定し、グループＧによる電力削減量の期待値を表すデータ（以下、単に「期待値」とも称す）Ｅを０に設定する（ステップＳ１４０）。
【００３７】
続いて、依頼部２２０は、計画データに基づいて、時間帯Ｔにおいて電力の入力が計画されている、未選択な、あるエネルギー蓄積装置１００（ｇ）が存在するか否かを判定する（ステップＳ１５０）。エネルギー蓄積装置１００（ｇ）が存在しなければ（ステップＳ１５０のＮｏ）、依頼部２２０は、エラー処理（ステップＳ１９０）を行った後に、処理を終了する。エネルギー蓄積装置１００（ｇ）が存在すれば（ステップＳ１５０のＹｅｓ）、依頼部２２０は、エネルギー蓄積装置１００（ｇ）を表すデータ（以下、「エネルギー蓄積装置を表すデータ」を単に「エネルギー蓄積装置」とも称す）をグループＧに追加する（ステップＳ１６０の前半）。そして、依頼部２２０は、エネルギー蓄積装置１００（ｇ）による電力削減量の期待値を表すデータ（以下、単に「期待値」とも称す）ｅを、期待値Ｅに加算する（ステップＳ１６０の後半）。ここで、依頼部２２０は、協力記憶部２１０により記憶された協力履歴データと、各エネルギー蓄積装置１００から取得した計画データとに基づいて、期待値ｅを算出する。より具体的には、依頼部２２０は、計画データに基づいて利用者が依頼に協力する確率を計算し、その確率を計画データにおける時間帯Ｔに入力される電力量に乗じることにより、期待値ｅを算出する。
【００３８】
続いて、依頼部２２０は、期待値Ｅが目標値Ｒ以上であるか否かを判定する（ステップＳ１７０）。期待値Ｅが目標値Ｒ未満ならば（ステップＳ１７０のＮｏ）、依頼部２２０は、ステップＳ１５０へ処理を戻す。期待値Ｅが目標値Ｒ以上ならば（ステップＳ１７０のＹｅｓ）、依頼部２２０は、ステップＳ１８０へ処理を進める。
【００３９】
続いて、依頼部２２０は、メッセージを、グループＧに含まれるエネルギー蓄積装置１００へ送信する（ステップＳ１８０）。依頼部２２０は、グループＧに含まれないエネルギー蓄積装置１００に対してもメッセージを送信してもよい。依頼部２２０がグループＧに含まれないエネルギー蓄積装置１００に対してもメッセージを送信した場合には、時間帯Ｔにおける電力の入力を停止する依頼の対象であるエネルギー蓄積装置１００の台数が増加するので、期待値Ｅは増加する。
【００４０】
図４は、本発明の第１の実施形態におけるエネルギー蓄積制御システムの動作の一例を示すシーケンス図である。図４において、エネルギー蓄積システム３００は、４台のエネルギー蓄積装置１００（Ｄ１、Ｄ２、Ｄ３、Ｄ４）を含む。協力履歴データから算出された、エネルギー蓄積装置Ｄ１、Ｄ２、Ｄ３、Ｄ４の利用者がピークカットの依頼に協力する確率は順に、ｐ１、ｐ２、ｐ３、ｐ４であることとする。計画データから算出された、エネルギー蓄積装置Ｄ１、Ｄ２、Ｄ３、Ｄ４に時間帯Ｔにおいて入力される電力は順に、ｗ１（＞０）、ｗ２（＞０）、ｗ３（＞０）、ｗ４（＝０）であることとする。
【００４１】
まず、エネルギー蓄積制御装置２００の依頼部２２０は、例えば電力会社４００から、ピークカットの要求（時間帯Ｔ及び目標値Ｒを含む）を受信する（ステップＳ１１０）。
【００４２】
次に、依頼部２２０は、各エネルギー蓄積装置Ｄ１、Ｄ２、Ｄ３、Ｄ４における、時間帯Ｔにおける計画データ（電力量ｗ１、ｗ２、ｗ３、ｗ４を含む）を、各エネルギー蓄積装置Ｄ１、Ｄ２、Ｄ３、Ｄ４から取得する（ステップＳ１２０）。
【００４３】
続いて、依頼部２２０は、グループＧによる時間帯Ｔにおける電力削減量の期待値Ｅが目標値Ｒ以上であるようにグループＧを決定する（ステップＳ１４０、Ｓ１５０、Ｓ１６０、Ｓ１７０）。ここで、ｐ１ｗ１＋ｐ２ｗ２≧Ｒであることとする。すると、グループＧは、例えば、エネルギー蓄積装置Ｄ１及びＤ２を含む。
【００４４】
続いて、依頼部２２０は、時間帯Ｔにおいて電力の入力を停止することを依頼するメッセージを、グループＧに含まれるエネルギー蓄積装置Ｄ１及びＤ２へ送信する（ステップＳ１８０）。依頼部２２０は、時間帯Ｔにおいて電力の入力を停止することを依頼するメッセージを、グループＧに含まれないエネルギー蓄積装置Ｄ３及びＤ４へ送信してもよい。
【００４５】
エネルギー蓄積装置Ｄ１、Ｄ２はそれぞれ、確率ｐ１、ｐ２でメッセージに含まれる依頼に協力する（ステップＳ２１０）。即ち、時間帯Ｔにおける電力削減量の期待値Ｅ＝ｐ１ｗ１＋ｐ２ｗ２は、目標値Ｒ以上である。ここで、エネルギー蓄積装置１００の台数をより多くしたり、利用者がピークカットの依頼に協力する確率の算出をより高精度化したりすることにより、実際の電力削減量を目標値Ｒに、より近づけることができる。確率の算出をより高精度化するには、例えば、多数の利用者の協力履歴データを、依頼の内容（時間帯等）、生活様式、曜日、季節、気候変化、又は地域等に応じて、パターンに分類する。そして、確率を算出する対象である依頼の内容及び利用者に、より適合したパターンに基づいて確率を算出すればよい。
【００４６】
以上説明したように、本実施形態のエネルギー蓄積システム３００では、エネルギー蓄積制御装置２００は、エネルギー蓄積装置１００の利用者の協力履歴データに基づいて利用者がピークカットの依頼に協力する確率を算出する。エネルギー蓄積制御装置２００は、電力削減量の期待値Ｅが、ピークカットの要求における電力削減の目標値Ｒ以上になるように、電力の入力を停止する依頼の対象であるエネルギー蓄積装置１００のグループＧを決定する。エネルギー蓄積制御装置２００は、電力の入力の停止を依頼するメッセージをエネルギー蓄積装置１００のグループＧに含まれるエネルギー蓄積装置１００へ送信する。エネルギー蓄積装置１００は、エネルギー蓄積制御装置２００から受信したメッセージを表示する。エネルギー蓄積装置１００の利用者は、メッセージに含まれる電力の入力の停止の依頼に対して、前述した確率で協力する。即ち、ピークカットの要求における電力削減の目標値Ｒが達成されることが期待される。一方、エネルギー蓄積装置１００の利用者は、メッセージに含まれる電力の入力の停止の依頼に協力しなくてもよい。即ち、利用者は、エネルギー蓄積装置１００に蓄積された蓄積エネルギーの放出を強制的に制限されない。従って、本実施形態のエネルギー蓄積システム３００には、入力された電力を蓄積エネルギーとして蓄積すると共に、蓄積した蓄積エネルギーを放出可能な複数のエネルギー蓄積装置１００において、利用者による蓄積エネルギーの可用性と入力される電力のピークカットとを両立できるという効果がある。
【００４７】
特に、メッセージの送信先をグループＧに含まれるエネルギー蓄積装置１００に限定するか、エネルギー蓄積装置１００の台数をより多くするか、又は利用者がピークカットの依頼に協力する確率の算出をより高精度化した場合には、エネルギー蓄積システム３００は、実際の電力削減量をピークカットの要求における電力削減の目標値に、より近づけることができる。
【００４８】
尚、メッセージは、メッセージに含まれる依頼に協力した場合に利用者に付与されるインセンティブに関する情報を含んでもよい。又は、メッセージは、未来の所定の時間帯において利用者に賦課される電力料金に関する情報を含んでもよい。この場合には、エネルギー蓄積システム３００は、ピークカット運転に対する利用者による協力をより促進できる。
【００４９】
又、エネルギー蓄積制御装置２００は、過去の各時間帯においてエネルギー蓄積装置１００が放出した蓄積エネルギーの放出量を表す放出履歴データを更に記憶してもよい。そして、エネルギー蓄積制御装置２００は、放出履歴データに基づいて、未来の各時間帯においてエネルギー蓄積装置１００が放出する蓄積エネルギーの放出量を予測する。そして、電力制御部１４０は、予測した放出量に応じた蓄積エネルギーを蓄積するための計画データを生成する。この場合には、エネルギー蓄積装置１００から放出される放出量が、エネルギー蓄積装置１００に蓄積された蓄積量を上回る可能性が低減される。
【００５０】
又、エネルギー蓄積装置１００は、自エネルギー蓄積装置１００がメッセージに含まれる依頼の対象であり、且つその依頼に対して利用者による協力する旨の指示を指示部１３０が受け付けた場合に、未来の所定の時間帯の開始時刻において、その所定の時間帯において放出されることが予想される以上の蓄積エネルギーを蓄積する計画データを生成してもよい。この場合には、エネルギー蓄積システム３００は、ピークカットの時間帯において、エネルギー蓄積装置１００への電力の入力が必要になる可能性を低減できる。
（第２の実施形態）
次に、本発明の第１の実施形態を基本とする、本発明の第２の実施形態について説明する。本実施形態におけるエネルギー蓄積システムでは、エネルギー蓄積制御装置は、蓄積エネルギーの蓄積率が、ある蓄積率以上であるエネルギー蓄積装置における電力の入力を停止することを依頼することを表すメッセージを、エネルギー蓄積装置へ送信する。
【００５１】
図１を再び参照して、本実施形態における構成について説明する。
【００５２】
本実施形態のエネルギー蓄積システム３０５は、複数台のエネルギー蓄積装置１００と、エネルギー蓄積制御装置２０５とを含む。
【００５３】
エネルギー蓄積制御装置２０５は、協力記憶部２１０と、依頼部２２５とを含む。
【００５４】
依頼部２２５は、本発明の第１の実施形態における依頼部２２０と動作が異なる。
【００５５】
本実施形態におけるその他の構成は、第１の実施形態における構成と同じである。
【００５６】
本実施形態における動作について説明する。
【００５７】
図５は、本発明の第２の実施形態におけるエネルギー蓄積制御装置の動作を示すフローチャートである。より具体的には、図５は、本実施形態におけるエネルギー蓄積制御装置２０５に含まれる依頼部２２５の動作を示す。尚、図５に示すフローチャート及び以下の説明は一例であり、適宜求める処理に応じて、処理順等を入れ替えたり、処理を戻したり、又は処理を繰り返したりしてもよい。
【００５８】
まず、依頼部２２５は、ピークカットの要求（時間帯Ｔ及び目標値Ｒを含む）を受信する（ステップＳ１１０）。
【００５９】
次に、依頼部２２５は、時間帯Ｔの開始時刻における、各エネルギー蓄積装置１００における蓄積エネルギーの蓄積率を算出可能な、時間帯Ｔにおける計画データを各エネルギー蓄積装置１００から取得する（ステップＳ１２５）。
【００６０】
次に、依頼部２２５は、取得した計画データに基づいて、時間帯Ｔの開始時刻における、各エネルギー蓄積装置１００における蓄積エネルギーの蓄積率を算出する（ステップＳ１３０）。
【００６１】
ステップＳ１４０以降における依頼部２２５の動作は、本発明の第１の実施形態におけるステップＳ１４０以降における依頼部２２０の動作と同様であるが、以下の点で異なる。
【００６２】
依頼部２２５は、グループＧを決定する際に、算出した蓄積率に基づいて、未選択なエネルギー蓄積装置１００のうち、蓄積率が最大であるエネルギー蓄積装置１００を優先して、１台のエネルギー蓄積装置１００を選択する（ステップＳ１５５）。
【００６３】
依頼部２２５は、メッセージを、グループＧに含まれるエネルギー蓄積装置１００へ送信する（ステップＳ１８５）。ここで、メッセージは、時間帯Ｔの開始時刻における蓄積率が、グループＧに含まれるエネルギー蓄積装置１００における最小な蓄積率（最小蓄積率）以上であるエネルギー蓄積装置１００への電力の入力を停止することを依頼することを表す。依頼部２２５は、グループＧに含まれないエネルギー蓄積装置１００に対してもメッセージを送信してもよい。依頼部２２５は、全てのエネルギー蓄積装置１００に対してもメッセージを送信してもよい。依頼部２２５がグループＧに含まれないエネルギー蓄積装置１００に対してもメッセージを送信した場合であっても、グループＧに含まれないエネルギー蓄積装置１００は時間帯Ｔにおける電力の入力を停止する依頼の対象ではないので、期待値Ｅは変化しない。
【００６４】
図６は、本発明の第２の実施形態におけるエネルギー蓄積装置の表示部及び指示部におけるユーザインタフェース例を説明する図である。但し、図６では、エネルギー蓄積装置１００が貯湯槽を含むヒートポンプ給湯器である場合の例を示している。
【００６５】
図６では、表示部１２０は、「１９：００における貯湯率が８０％以上の給湯器では、１９：００〜２０：００にピークカット運転をして（湯の沸き上げを控えて）ください。当時間帯の電力料金は通常の５０％増になります。」との「ピークカット運転依頼メッセージ」（メッセージ）を表示している。図６では、電力の入力を停止する依頼の対象を特定する蓄積率の下限値と、ピークカット運転を行う時間帯と、インセンティブ又は電力料金に関する情報とは、専用の表示素子（発光ダイオード表示素子等）により表示されている。電力の入力を停止する依頼の対象を特定する蓄積率の下限値、ピークカット運転を行う時間帯、又はインセンティブ又は電力料金に関する情報は、ディスプレイにおいて専用の定位置に表示されてもよい。
【００６６】
図６では、表示部１２０は、計画データ（貯湯計画）を合わせて表示している。貯湯計画は、各時間帯における、開始時刻における蓄積率（貯湯率）、蓄積エネルギーの放出量（熱湯使用量）、及び電力の入力量（電力使用量）が、グラフ表示されている。利用者がピークカット運転をすることを指示すると、時間帯Ｔにおける電力使用量が０になるように、貯湯計画が更新される（図６（Ｂ））。
【００６７】
図７は、本発明の第２の実施形態におけるエネルギー蓄積制御システムの動作の一例を示すシーケンス図である。尚、図７における前提は、特に説明しない限り、図４における前提と同様である。
【００６８】
まず、エネルギー蓄積制御装置２０５の依頼部２２５は、例えば電力会社４００から、ピークカットの要求（時間帯Ｔ及び目標値Ｒを含む）を受信する（ステップＳ１１０）。
【００６９】
次に、依頼部２２５は、時間帯Ｔの開始時刻における、各エネルギー蓄積装置Ｄ１、Ｄ２、Ｄ３、Ｄ４における、蓄積エネルギーの蓄積率ｒ１、ｒ２、ｒ３、ｒ４を算出可能な、時間帯Ｔにおける計画データ（電力量ｗ１、ｗ２、ｗ３、ｗ４を含む）を、各エネルギー蓄積装置Ｄ１、Ｄ２、Ｄ３、Ｄ４から取得する（ステップＳ１２５）。計画データは、各エネルギー蓄積装置Ｄ１、Ｄ２、Ｄ３、Ｄ４における蓄積エネルギーの蓄積率ｒ１、ｒ２、ｒ３、ｒ４を含んでもよい。尚、ｒ１≧ｒ３≧ｒ２≧ｒ４であることとする。
【００７０】
続いて、依頼部２２５は、取得した計画データに基づいて、各エネルギー蓄積装置Ｄ１、Ｄ２、Ｄ３、Ｄ４における蓄積エネルギーの蓄積率ｒ１、ｒ２、ｒ３、ｒ４を算出する（ステップＳ１３０）。
【００７１】
続いて、依頼部２２５は、グループＧによる時間帯Ｔにおける電力削減量の期待値Ｅが目標値Ｒ以上であるようにグループＧを決定する（ステップＳ１４０、Ｓ１５５、Ｓ１６０、Ｓ１７０）。ここで、ｐ１ｗ１＋ｐ３ｗ３≧Ｒであることとする。すると、グループＧは、エネルギー蓄積装置Ｄ１及びＤ３を含む。
【００７２】
続いて、依頼部２２５は、時間帯Ｔにおいて電力の入力を停止することを依頼するメッセージを、グループＧに含まれるエネルギー蓄積装置Ｄ１及びＤ３へ送信する（ステップＳ１８５）。ここで、メッセージは、時間帯Ｔの開始時刻における蓄積率が、グループＧに含まれるエネルギー蓄積装置Ｄ１及びＤ３における最小な蓄積率（最小蓄積率）ｒ３以上であるエネルギー蓄積装置１００への電力の入力を停止することを依頼することを表す。依頼部２２５は、時間帯Ｔにおいて電力の入力を停止することを依頼するメッセージを、グループＧに含まれないエネルギー蓄積装置Ｄ２及びＤ４へ送信してもよい。
【００７３】
エネルギー蓄積装置Ｄ１、Ｄ３はそれぞれ、確率ｐ１、ｐ３でメッセージに含まれる依頼に協力する（ステップＳ２１０）。即ち、時間帯Ｔにおける電力削減量の期待値Ｅ＝ｐ１ｗ１＋ｐ３ｗ３は、目標値Ｒ以上である。
【００７４】
本実施形態におけるその他の動作は、第１の実施形態における動作と同じである。
【００７５】
以上説明したように、本実施形態のエネルギー蓄積システム３０５の構成は、本発明の第１の実施形態におけるエネルギー蓄積システム３００の構成を含む。従って、本実施形態のエネルギー蓄積システム３０５は、本発明の第１の実施形態におけるエネルギー蓄積システム３００と同じ効果を有する。
【００７６】
又、本実施形態のエネルギー蓄積システム３０５では、時間帯Ｔにおける蓄積率がより高いエネルギー蓄積装置１００が、電力の入力を停止する依頼の対象であるエネルギー蓄積装置１００として優先的に選択される。蓄積率がより高いエネルギー蓄積装置１００では、蓄積率がより低いエネルギー蓄積装置１００に比べて、時間帯Ｔにおいて電力の入力を停止して、時間帯Ｔに放出される蓄積エネルギーを、時間帯Ｔ以前に前倒しで蓄積することが容易である（計画データの変更量がより少ない）。従って、本実施形態のエネルギー蓄積システム３０５は、ピークカットの要求が発生した場合に、計画データの変更が容易である（計画データの変更量がより少ない）という効果を有する。
【００７７】
又、本実施形態のエネルギー蓄積システム３０５は、ピークカットの要求が発生した場合に、計画データの変更が間に合わなかった（又は、計画データの変更が行われなかった）としても、時間帯Ｔにおける電力の入力を停止することを依頼されたエネルギー蓄積装置１００において利用可能な蓄積エネルギーが比較的多い。従って、本実施形態のエネルギー蓄積システム３０５には、ピークカットの要求が発生した場合に、エネルギー蓄積装置１００における蓄積エネルギーの可用性の低下が限定的であるという効果を有する。
【００７８】
又、本実施形態のエネルギー蓄積システム３０５では、全てのエネルギー蓄積装置１００に対してメッセージを送信した場合であっても、グループＧに含まれないエネルギー蓄積装置１００は時間帯Ｔにおける電力の入力を停止する依頼の対象ではないので、期待値Ｅは変化しない。つまり、メッセージの送信先を限定しないにもかかわらず、ピークカットの要求に応じた（要求に対して過小でも過大でもない）電力の削減が可能である。従って、本実施形態のエネルギー蓄積システム３０５には、メッセージの送信先を限定しない場合には、処理を単純化できるという効果がある。例えば、メッセージの送信先をブロードキャストアドレスで指定できるので、エネルギー蓄積制御装置２０５に個々のエネルギー蓄積装置１００のアドレスを設定する必要がない。つまり、エネルギー蓄積システム３０５に新たなエネルギー蓄積装置１００を追加する作業が容易である。又、依頼は利用者を区別しないので、公平な依頼が実現できるという効果がある。
（第３の実施形態）
次に、本発明の第２の実施形態を基本とする、本発明の第３の実施形態について説明する。本実施形態は、第２実施形態に具体的な数値を入れて記述したものである。本実施形態におけるエネルギー蓄積システムでは、エネルギー蓄積装置は電力を用いて沸き上げた湯を蓄積可能な給湯器である。
【００７９】
本実施形態における構成について説明する。
【００８０】
図８は、本発明の第３の実施形態におけるヒートポンプ制御システムの構成の一例を示すブロック図である。
【００８１】
本実施形態のヒートポンプ制御システム（エネルギー蓄積システム）３０７は、複数台のヒートポンプ（エネルギー蓄積装置）１０７と、ヒートポンプ１０７毎に設置された通信アダプタ５００と、ヒートポンプ制御装置（エネルギー蓄積制御装置）２０７とを含む。
【００８２】
ヒートポンプ１０７は、電力を用いて沸き上げた湯を蓄積可能な給湯器である。ヒートポンプ１０７は、蓄積部１１０と、表示部１２０と、指示部１３０と、電力制御部１４０とを含む。
【００８３】
通信アダプタ５００は、ヒートポンプ制御装置２０７からの制御信号を受信し、受信した制御信号をヒートポンプ１０７が解釈できるプロトコルに変換して、変換した制御信号をヒートポンプ１０７へ送信する。又、通信アダプタ５００は、ヒートポンプ１０７からの制御信号を受信し、受信した制御信号をヒートポンプ制御装置２０７が解釈できるプロトコルに変換して、変換した制御信号をヒートポンプ制御装置２０７へ送信する。ヒートポンプ制御装置２０７とヒートポンプ１０７とが同じプロトコルを利用する場合には、通信アダプタ５００は省略されてもよい。
【００８４】
ヒートポンプ制御装置２０７は、データ蓄積部２１７と、制御信号作成部２２７と、制御信号受信部２３０と、制御信号送信部２４０とを含む。
【００８５】
制御信号受信部２３０は、各ヒートポンプ１０７からの制御信号を受信する。この制御信号は、各ヒートポンプ１０７に関する、現在の貯湯量を表すデータ、計画データ、及び協力履歴データ等を含む。計画データは、未来の各時間帯における運転計画を表す。運転計画は、各時間帯の開始時刻における貯湯量、及び各時間帯において蓄積部１１０へ入力される電力量に関する情報等を含む。ヒートポンプ制御装置２０７は、各ヒートポンプ１０７の最大貯湯量は既知であり、最大貯湯量に対する各時間帯の開始時刻における貯湯量（予定貯湯量）の割合（予定貯湯率）は、現在の貯湯量を表すデータ、計画データ、又は最大貯湯量に基づいて算出可能であることとする。協力履歴データは、各ヒートポンプ１０７が過去に受信したメッセージに含まれる依頼に対して、各ヒートポンプ１０７の利用者が協力した（沸き上げを控えた）か否かを表す。尚、協力履歴データに基づいて、各ヒートポンプ１０７が過去に受信したメッセージに含まれる依頼に対して、各ヒートポンプ１０７の利用者が協力した割合を算出することが可能であることとする。
【００８６】
データ蓄積部２１７は、各ヒートポンプ１０７の運転時における消費電力、並びに、各ヒートポンプ１０７から受信した制御信号に含まれる、現在の貯湯量を表すデータ、及び計画データ等を蓄積する。
【００８７】
制御信号作成部２２７は、外部から入力されたピークカットの要求、及びデータ蓄積部２１７に蓄積されたデータ等に基づいて、制御信号を作成する。ピークカットの要求は、電力を削減したい時間帯の情報と、削減目標電力Ｐｔの情報とを含むこととする。以下では、時間帯の情報を、その時間帯の開始時刻ｔで表すこととする。ピークカットの要求は、ヒートポンプ制御装置２０７に、利用者によって手作業で入力されてもよいし、電力需要予測システムによって自動的に入力されてもよい。
【００８８】
制御信号送信部２４０は、制御信号作成部２２７が作成した制御信号を、ヒートポンプ１０７へ送信する。
【００８９】
本実施形態におけるその他の構成は、第２の実施形態における構成と同じである。つまり、本実施形態のデータ蓄積部２１７は、本発明の第２の実施形態における協力記憶部２１０の機能を含む。本実施形態のデータ蓄積部２１７、制御信号作成部２２７、制御信号受信部２３０、及び制御信号送信部２４０は、本発明の第２の実施形態における依頼部２２５の機能を含む。
【００９０】
本実施形態における動作について説明する。
【００９１】
図９は、本発明の第３の実施形態におけるヒートポンプ制御装置の動作を示すフローチャートである。より具体的には、図９は、本実施形態におけるヒートポンプ制御装置２０７の制御信号作成部２２７の動作を示す。尚、図９に示すフローチャート及び以下の説明は一例であり、適宜求める処理に応じて、処理順等を入れ替えたり、処理を戻したり、又は処理を繰り返したりしてもよい。
【００９２】
まず、制御信号作成部２２７は、ピークカットの要求を表すデータを読み込む（ステップＳ２１０）。ここで、ピークカットの要求は、時間帯の開始時刻ｔと、削減目標電力Ｐｔとを含む。
【００９３】
次に、制御信号作成部２２７は、削減可能電力Ｒｔを表すデータを０に設定する（ステップＳ２２０）。
【００９４】
続いて、制御信号作成部２２７は、ｎを１からヒートポンプ１０７の台数まで１ずつ増加させて、以下のステップＳ２４０乃至Ｓ２９０の処理を繰り返す（ステップＳ２３０）。
【００９５】
まず、制御信号作成部２２７は、全てのヒートポンプ１０７の中から、時刻ｔにおける貯湯率（予定貯湯率）がｎ番目に高い１台のヒートポンプ１０７（Ｈｎ）を選択する（ステップＳ２４０）。
【００９６】
次に、制御信号作成部２２７は、当該ヒートポンプ１０７（Ｈｎ）の運転時における消費電力（Ｐ＿Ｈｎ）をデータ蓄積部２１７から取得する（ステップＳ２５０）。
【００９７】
続いて、制御信号作成部２２７は、時刻ｔにおける、当該ヒートポンプ１０７（Ｈｎ）の計画データをデータ蓄積部２１７から取得する（ステップＳ２６０）。ここで、時刻ｔから開始する時間帯において、蓄積部１１０へ入力される電力量が０でなければ（沸き上げが予定されていれば）、計画Ｓ＿Ｈｎに１を設定することとする。一方、時刻ｔから開始する時間帯において、蓄積部１１０へ入力される電力量が０ならば（沸き上げが予定されていなければ）、計画Ｓ＿Ｈｎに０を設定することとする。
【００９８】
続いて、制御信号作成部２２７は、当該ヒートポンプ１０７（Ｈｎ）について、協力履歴データをデータ蓄積部２１７から取得し、利用者が依頼に協力する確率（協力確率）Ｅ＿Ｈｎを計算する（ステップＳ２７０）。ここで、制御信号作成部２２７は、協力履歴データにおける、利用者が依頼に協力した回数（協力回数）を、利用者に協力を依頼した回数（協力依頼回数）で除算することにより協力確率Ｅ＿Ｈｎを算出することとする。
【００９９】
続いて、制御信号作成部２２７は、当該ヒートポンプ１０７（Ｈｎ）により削減される電力の期待値Ｒ＿ＨｎをＰ＿Ｈｎ＊Ｓ＿Ｈｎ＊Ｅ＿Ｈｎにより計算し、削減可能電力Ｒｔの値をＲｔ＋Ｒ＿Ｈｎに更新する（ステップＳ２８０）。ここで、“＊”は乗算演算子であることとする。
【０１００】
続いて、制御信号作成部２２７は、削減可能電力Ｒｔが削減目標電力Ｐｔ以上であるか否かを判定する（ステップＳ２９０）。削減可能電力Ｒｔが削減目標電力Ｐｔ未満であれば（ステップＳ２９０のＮｏ）、制御信号作成部２２７は、ステップＳ２３０へ処理を戻す。削減可能電力Ｒｔが削減目標電力Ｐｔ以上であれば（ステップＳ２９０のＹｅｓ）、制御信号作成部２２７は、ステップＳ３００へ処理を進める。
【０１０１】
制御信号作成部２２７は、ステップＳ２４０において最後に選択されたヒートポンプＨｎの時刻ｔにおける予定貯湯率Ｘを含む以下のメッセージを含む制御信号を作成する（ステップＳ３００）。メッセージは、例えば、「
（１）時刻ｔにおけるヒートポンプの予定貯湯率がＸ以上のものについては、沸き上げを控えてください（インセンティブあり）。
（２）時刻ｔにおけるヒートポンプの予定貯湯率がＸ未満のものについては、通常通り使用してください。
」である。
【０１０２】
図１０は、本発明の第３の実施形態におけるヒートポンプ制御装置の動作例を説明する図である。図１０において、「ヒートポンプ」列は、各ヒートポンプの呼称を示す。ヒートポンプは、「Ａ」、「Ｂ」、・・・、「Ｇ」の７台存在する。「最大貯湯量」列は、各ヒートポンプにおける最大貯湯量を示す。「予定貯湯量」列は、各ヒートポンプにおける時刻ｔにおける予定貯湯量を示す。「予定貯湯率」列は、各ヒートポンプにおける時刻ｔにおける予定貯湯率を示す。「運転時の消費電力」列は、各ヒートポンプにおける運転時の消費電力を示す。「計画」列は、各ヒートポンプにおける時刻ｔに開始する時間帯における運転の計画の有無を示す。「協力回数」列は、各ヒートポンプにおける過去の協力回数を示す。「非協力回数」列は、各ヒートポンプにおける利用者が過去の依頼に協力しなかった回数（非協力回数）を示す。「協力依頼回数」列は、各ヒートポンプにおける過去の協力依頼回数を示す。尚、図１０に図示していないが、削減目標電力Ｐｔは２０であることとする。又、時刻ｔは「１９：００」であることとする。
【０１０３】
予定貯湯率が最も高いヒートポンプＨ１は、予定貯湯率が８０％であるヒートポンプＧである（ステップＳ２４０）。ヒートポンプＧでは、運転時の消費電力Ｐ＿Ｈ１は２５であり（ステップＳ２５０）、計画Ｓ＿Ｈ１は１（運転）であり（ステップＳ２６０）、協力確率Ｅ＿Ｈ１は７／１０＝０．７である（ステップＳ２７０）。従って、ヒートポンプＧによる削減可能電力Ｒ＿Ｈ１は２５＊１＊０．７＝１７．５である（ステップＳ２８０）。つまり、ヒートポンプＧのみでは、削減可能電力Ｒｔ＝１７．５は削減目標電力Ｐｔ＝２０未満である（ステップＳ２９０のＮｏ）。
【０１０４】
予定貯湯率が２番目に高いヒートポンプＨ２は、予定貯湯率が７５％であるヒートポンプＤである（ステップＳ２４０）。ヒートポンプＤでは、運転時の消費電力Ｐ＿Ｈ２は４０であり（ステップＳ２５０）、計画Ｓ＿Ｈ２は０（停止）であり（ステップＳ２６０）、協力確率Ｅ＿Ｈ２は６／１０＝０．６である（ステップＳ２７０）。従って、ヒートポンプＤによる削減可能電力Ｒ＿Ｈ２は４０＊０＊０．６＝０である（ステップＳ２８０）。つまり、ヒートポンプＧ及びＤでは、削減可能電力Ｒｔ＝１７．５は削減目標電力Ｐｔ＝２０未満である（ステップＳ２９０のＮｏ）。
【０１０５】
予定貯湯率が３番目に高いヒートポンプＨ３は、予定貯湯率が６０％であるヒートポンプＣである（ステップＳ２４０）。ヒートポンプＣでは、運転時の消費電力Ｐ＿Ｈ３は１５であり（ステップＳ２５０）、計画Ｓ＿Ｈ３は１（運転）であり（ステップＳ２６０）、協力確率Ｅ＿Ｈ３は１／４＝０．２５である（ステップＳ２７０）。従って、ヒートポンプＣによる削減可能電力Ｒ＿Ｈ３は１５＊１＊０．２５＝３．７５である（ステップＳ２８０）。つまり、ヒートポンプＧ、Ｄ、及びＣでは、削減可能電力Ｒｔ＝１７．５＋３．７５＝２１．２５は削減目標電力Ｐｔ＝２０以上である（ステップＳ２９０のＹｅｓ）。
【０１０６】
そこで、制御信号作成部２２７は、ステップＳ２４０において最後に選択されたヒートポンプＨ３の予定貯湯率「６０％」を含む以下のメッセージを含む制御信号を作成する（ステップＳ３００）。メッセージは、「
（１）１９：００におけるヒートポンプの予定貯湯率が６０％以上のものについては、沸き上げを控えてください（インセンティブあり）。
（２）１９：００におけるヒートポンプの予定貯湯率が６０％未満のものについては、通常通り使用してください。
」である。
【０１０７】
制御信号送信部２４０は、例えば、制御信号作成部２２７が作成した制御信号を、送信先としてブロードキャストアドレスを指定して、全てのヒートポンプ１０７へ送信する。
【０１０８】
本実施形態におけるその他の動作は、第２の実施形態における動作と同じである。
【０１０９】
以上説明したように、本実施形態のヒートポンプ制御システム３０７の構成は、本発明の第２の実施形態におけるエネルギー蓄積システム３０５の構成を含む。従って、本実施形態のヒートポンプ制御システム３０７は、本発明の第２の実施形態におけるエネルギー蓄積システム３０５と同じ効果を有する。
【０１１０】
尚、上述の説明では、説明を簡単にするために、計画データにおいて、蓄積部１１０へ入力される電力量が０でなければ計画Ｓ＿Ｈｎに１を設定し、蓄積部１１０へ入力される電力量が０ならば計画Ｓ＿Ｈｎに０を設定することとした。そして、計画Ｓ＿Ｈｎと、データ蓄積部２１７に蓄積されている運転時の消費電力Ｐ＿Ｈｎとを乗算することにより、蓄積部１１０へ入力される電力量を算出した（ステップＳ２８０）。しかしながら、計画データにおいて、計画Ｓ＿Ｈｎの値が、蓄積部１１０へ入力される電力量を表してもよい。
【０１１１】
又、図１０の例では、ヒートポンプＣ及びＧの利用者つまり複数のヒートポンプの利用者の協力によって削減目標電力Ｐｔを達成できるが、１台のヒートポンプの利用者の協力だけで達成できることもあることは明らかである。
【０１１２】
又、上述の説明では、説明を簡単にするために、メッセージの依頼先は、沸き上げを控えることを依頼するグループと、通常通り使用してよいことを通知するグループとを含むこととした。しかしながら、メッセージの依頼先は、３つ以上のグループを含んでもよい。例えば、メッセージの依頼先は、沸き上げを控えることを依頼するグループと、通常通り使用してよいことを通知するグループとに加えて、沸き上げを最大消費電力の５０％以下に控えることを依頼するグループを含んでもよい。
【０１１３】
図１１は、本発明の各実施形態におけるエネルギー蓄積制御装置を実現可能なハードウェア構成の一例を示すブロック図である。
【０１１４】
エネルギー蓄積制御装置９０７は、記憶装置９０２と、ＣＰＵ（Central Processing Unit）９０３と、キーボード９０４と、モニタ９０５と、Ｉ／Ｏ（Input/Output）装置９０８とを備え、これらが内部バス９０６によって接続されている。記憶装置９０２は、依頼部２２０、２２５、及び制御信号作成部２２７等のＣＰＵ９０３の動作プログラムを格納する。ＣＰＵ９０３は、エネルギー蓄積制御装置９０７全体を制御し、記憶装置９０２に格納された動作プログラムを実行し、Ｉ／Ｏ装置９０８によって依頼部２２０、２２５、及び制御信号作成部２２７等のプログラムの実行やデータの送受信を行なう。尚、上記のエネルギー蓄積制御装置９０７の内部構成は一例である。エネルギー蓄積制御装置９０７は、必要に応じて、キーボード９０４、モニタ９０５を接続する装置構成であってもよい。
【０１１５】
上述した本発明の各実施形態におけるエネルギー蓄積制御装置９０７は、専用の装置によって実現してもよいが、Ｉ／Ｏ装置９０８が外部との通信を実行するハードウェアの動作以外は、コンピュータ（情報処理装置）によっても実現可能である。本発明の各実施形態において、Ｉ／Ｏ装置９０８は、例えば、依頼部２２０、２２５、制御信号受信部２３０、及び制御信号送信部２４０等との入出力部である。この場合、係るコンピュータは、記憶装置９０２に格納されたソフトウェア・プログラムをＣＰＵ９０３に読み出し、読み出したソフトウェア・プログラムをＣＰＵ９０３において実行する。上述した各実施形態の場合、係るソフトウェア・プログラムには、上述したところの、図１に示したエネルギー蓄積制御装置２００、２０５、及び図８に示したヒートポンプ制御装置２０７の各部の機能を実現可能な記述がなされていればよい。但し、これらの各部には、適宜ハードウェアを含むことも想定される。そして、このような場合、係るソフトウェア・プログラム（コンピュータ・プログラム）は、本発明を構成すると捉えることができる。更に、係るソフトウェア・プログラムを格納した、コンピュータ読み取り可能な記憶媒体も、本発明を構成すると捉えることができる。
【０１１６】
以上、本発明を、上述した各実施形態およびその変形例によって例示的に説明した。しかしながら、本発明の技術的範囲は、上述した各実施形態およびその変形例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項から明らかである。
【０１１７】
上記の実施形態の一部又は全部は、以下の付記のようにも記載されうるが、以下には限られない。
（付記１）
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する表示部と、
前記表示部により表示された前記メッセージに含まれる依頼に対する協力の可否に関する利用者による指示を受け付ける指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部と、
を含む複数台のエネルギー蓄積装置、及び
各前記エネルギー蓄積装置が過去に受信した前記メッセージに含まれる依頼に対して各前記エネルギー蓄積装置の前記利用者が協力した割合を算出可能な協力履歴データを記憶する協力記憶部と、
前記未来の所定の時間帯における各前記エネルギー蓄積装置へ入力される前記電力の全ての前記エネルギー蓄積装置に関する合計を所定の目標値だけ削減するピークカットが要求された際に、前記エネルギー蓄積装置へ前記メッセージを送信する依頼部と
を含むエネルギー蓄積制御装置
を備えたエネルギー蓄積システムであって、
前記依頼部は、前記ピークカットが要求された際に、
前記計画データを各前記エネルギー蓄積装置から取得し、
前記協力記憶部により記憶された前記協力履歴データと、各前記エネルギー蓄積装置から取得した前記計画データとに基づいて、前記未来の所定の時間帯において前記エネルギー蓄積装置への入力が計画されていた前記電力のうち、ある一群の前記エネルギー蓄積装置への入力が停止される前記電力の合計の期待値が前記所定の目標値以上になるように前記ある一群の前記エネルギー蓄積装置を決定し、
前記メッセージを、決定した前記ある一群の前記エネルギー蓄積装置へ送信する
エネルギー蓄積システム。
（付記２）
前記依頼部は、前記エネルギー蓄積装置へ前記メッセージを送信する際に、前記ある一群の前記エネルギー蓄積装置のみへ前記メッセージを送信する
付記１に記載のエネルギー蓄積システム。
（付記３）
前記依頼部は、
前記計画データを各前記エネルギー蓄積装置から取得する際に、前記未来の所定の時間帯の開始時刻において各前記蓄積部に蓄積されている前記蓄積エネルギーの、該蓄積部に蓄積可能な最大の前記蓄積エネルギーに対する割合である蓄積率を算出可能な前記計画データを各前記エネルギー蓄積装置から取得し、各前記エネルギー蓄積装置から取得した前記計画データに基づいて前記蓄積率を算出し、
前記ある一群の前記エネルギー蓄積装置を決定する際に、算出した前記蓄積率がより大きい前記エネルギー蓄積装置を前記ある一群の前記エネルギー蓄積装置に優先的に含めるように前記ある一群の前記エネルギー蓄積装置を決定し、
前記メッセージを送信する際に、決定した前記ある一群の前記エネルギー蓄積装置において最小な前記蓄積率である最小蓄積率を指定して、前記蓄積率が前記最小蓄積率以上である前記蓄積部への前記電力の入力を停止することを依頼することを表す前記メッセージを、決定した前記ある一群の前記エネルギー蓄積装置へ送信する
付記１に記載のエネルギー蓄積システム。
（付記４）
前記依頼部は、前記エネルギー蓄積装置へ前記メッセージを送信する際に、全ての前記エネルギー蓄積装置へ前記メッセージを送信する
付記３に記載のエネルギー蓄積システム。
（付記５）
前記メッセージは、前記メッセージに含まれる依頼に協力した場合に前記利用者に付与されるインセンティブに関する情報を含むか、又は前記未来の所定の時間帯において前記利用者に賦課される電力料金に関する情報を含む
付記１乃至４の何れか１項に記載のエネルギー蓄積システム。
（付記６）
前記電力制御部は、過去の各時間帯において前記蓄積部から放出された前記蓄積エネルギーの放出量を表す放出履歴データを記憶し、前記計画データを生成する際に、記憶した前記放出履歴データと、前記指示部により受け付けられた前記指示とに基づいて、各前記未来の所定の時間帯において前記蓄積部から放出されることが予想される前記蓄積エネルギーの放出量に応じた前記蓄積エネルギーを蓄積するための前記計画データを生成する
付記１乃至５の何れか１項に記載のエネルギー蓄積システム。
（付記７）
前記電力制御部は、自エネルギー蓄積装置が前記メッセージに含まれる依頼が適用される対象であり、且つ前記メッセージに含まれる依頼に対して前記利用者による協力する旨の前記指示を前記指示部が受け付けた場合に、前記所定の時間帯の開始時刻において、前記所定の時間帯において放出されることが予想されるエネルギー以上の前記蓄積エネルギーを前記蓄積部に蓄積させる
付記１乃至６の何れか１項に記載のエネルギー蓄積システム。
（付記８）
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する専用の表示部と、
前記表示部により表示された前記メッセージに含まれる依頼に対する協力の可否に関する利用者による指示を受け付ける専用の指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部とを備えたエネルギー蓄積装置であって、
前記メッセージは、前記未来の所定の時間帯の開始時刻において各前記蓄積部に蓄積されている前記蓄積エネルギーの、該蓄積部に蓄積可能な最大の前記蓄積エネルギーに対する割合である蓄積率が、ある前記蓄積率以上である前記蓄積部への前記電力の入力を停止することを依頼することを表す
エネルギー蓄積装置。
（付記９）
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する表示部と、
前記表示部により表示された前記メッセージに含まれる依頼に対する協力の可否に関する利用者による指示を受け付ける指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部と
を含む複数台のエネルギー蓄積装置のうちの各前記エネルギー蓄積装置が過去に受信した前記メッセージに含まれる依頼に対して各前記エネルギー蓄積装置の前記利用者が協力した割合を算出可能な協力履歴データを記憶する協力記憶部と、
前記未来の所定の時間帯における各前記エネルギー蓄積装置へ入力される前記電力の全ての前記エネルギー蓄積装置に関する合計を所定の目標値だけ削減するピークカットが要求された際に、
前記計画データを各前記エネルギー蓄積装置から取得し、
前記協力記憶部により記憶された前記協力履歴データと、各前記エネルギー蓄積装置から取得した前記計画データとに基づいて、前記未来の所定の時間帯において前記エネルギー蓄積装置への入力が計画されていた前記電力のうち、ある一群の前記エネルギー蓄積装置への入力が停止される前記電力の合計の期待値が前記所定の目標値以上になるように前記ある一群の前記エネルギー蓄積装置を決定し、
前記メッセージを、決定した前記ある一群の前記エネルギー蓄積装置へ送信する依頼部とを備えた
エネルギー蓄積制御装置。
（付記１０）
前記依頼部は、前記エネルギー蓄積装置へ前記メッセージを送信する際に、前記ある一群の前記エネルギー蓄積装置のみへ前記メッセージを送信する
付記９に記載のエネルギー蓄積制御装置。
（付記１１）
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する表示部と、
前記表示部により表示された前記メッセージに含まれる依頼に対する協力の可否に関する利用者による指示を受け付ける指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部と、
を含む複数台のエネルギー蓄積装置、及び
各前記エネルギー蓄積装置が過去に受信した前記メッセージに含まれる依頼に対して各前記エネルギー蓄積装置の前記利用者が協力した割合を算出可能な協力履歴データを記憶する協力記憶部と、
前記未来の所定の時間帯における各前記エネルギー蓄積装置へ入力される前記電力の全ての前記エネルギー蓄積装置に関する合計を所定の目標値だけ削減するピークカットが要求された際に、前記エネルギー蓄積装置へ前記メッセージを送信する依頼部と
を含むエネルギー蓄積制御装置
を備えたエネルギー蓄積システムにおけるエネルギー蓄積方法であって、
前記依頼部により、前記ピークカットが要求された際に、
前記計画データを各前記エネルギー蓄積装置から取得し、
前記協力記憶部により記憶された前記協力履歴データと、各前記エネルギー蓄積装置から取得した前記計画データとに基づいて、前記未来の所定の時間帯において前記エネルギー蓄積装置への入力が計画されていた前記電力のうち、ある一群の前記エネルギー蓄積装置への入力が停止される前記電力の合計の期待値が前記所定の目標値以上になるように前記ある一群の前記エネルギー蓄積装置を決定し、
前記メッセージを、決定した前記ある一群の前記エネルギー蓄積装置へ送信する
エネルギー蓄積方法。
（付記１２）
入力された電力を蓄積エネルギーとして蓄積すると共に、蓄積した前記蓄積エネルギーを放出可能な蓄積部と、
未来の所定の時間帯における前記蓄積部への前記電力の入力を停止することを依頼するメッセージを受信し、受信した前記メッセージを表示する表示部と、
前記表示部により表示された前記メッセージに含まれる依頼に対する協力の可否に関する利用者による指示を受け付ける指示部と、
前記指示部により受け付けられた前記指示に基づいて、前記蓄積部へ未来の各時間帯において入力される前記電力を表す計画データを生成し、生成した前記計画データに従って前記蓄積部へ入力される前記電力を制御する電力制御部と
を含む複数台のエネルギー蓄積装置のうちの各前記エネルギー蓄積装置が過去に受信した前記メッセージに含まれる依頼に対して各前記エネルギー蓄積装置の前記利用者が協力した割合を算出可能な協力履歴データを記憶する協力記憶部とを備えたエネルギー蓄積制御装置が備えるコンピュータに、
前記未来の所定の時間帯における各前記エネルギー蓄積装置へ入力される前記電力の全ての前記エネルギー蓄積装置に関する合計を所定の目標値だけ削減するピークカットが要求された際に、
前記計画データを各前記エネルギー蓄積装置から取得し、
前記協力記憶部により記憶された前記協力履歴データと、各前記エネルギー蓄積装置から取得した前記計画データとに基づいて、前記未来の所定の時間帯において前記エネルギー蓄積装置への入力が計画されていた前記電力のうち、ある一群の前記エネルギー蓄積装置への入力が停止される前記電力の合計の期待値が前記所定の目標値以上になるように前記ある一群の前記エネルギー蓄積装置を決定し、
前記メッセージを、決定した前記ある一群の前記エネルギー蓄積装置へ送信する依頼処理を実行させる、
エネルギー蓄積制御装置のエネルギー蓄積制御プログラム。
【産業上の利用可能性】
【０１１８】
本発明は、貯湯槽を含む電気給湯器、又は二次電池を含む充電装置に蓄積されるエネルギーの量を制御する用途において利用できる。
【符号の説明】
【０１１９】
１００  エネルギー蓄積装置
１０７  ヒートポンプ
１１０  蓄積部
１２０  表示部
１３０  指示部
１４０  電力制御部
２００、２０５  エネルギー蓄積制御装置
２０７  ヒートポンプ制御装置
２１０  協力記憶部
２１７  データ蓄積部
２２０、２２５  依頼部
２２７  制御信号作成部
２３０  制御信号受信部
２４０  制御信号送信部
３００、３０５  エネルギー蓄積システム
３０７  ヒートポンプ制御システム
４００  電力会社
５００  通信アダプタ
９０２  記憶装置
９０３  ＣＰＵ
９０６  内部バス
９０７  エネルギー蓄積制御装置
９０８  Ｉ／Ｏ装置
【図１】
2019126186.tif 000003
【図２】
2019126186.tif 000004
【図３】
2019126186.tif 000005
【図４】
2019126186.tif 000006
【図５】
2019126186.tif 000007
【図６】
2019126186.tif 000008
【図７】
2019126186.tif 000009
【図８】
2019126186.tif 000010
【図９】
2019126186.tif 000011
【図１０】
2019126186.tif 000012
【図１１】
2019126186.tif 000013